(57)【特許請求の範囲】
【請求項１】
負荷回路に対する通電電路となる一次導体と、この一次導体が貫通し上記通電電路の電流に対応した電流信号を出力する変流器と、この変流器の電流信号に基づいて上記電流の大きさを常時監視し、所定値を超過した過電流状態のとき引き外し信号を出力する電子回路部と、上記一次導体及び変流器などを収納するユニットケースとを備えた回路遮断器の電流検出ユニットにおいて、上記一次導体と上記ユニットケースのいずれか一方に係合受け部を、他方に係合突起部を設け、上記係合受け部と係合突起部を係合させると共に、上記ユニットケースの係合受け部または係合突起部の両側に係合抑止部を設け、上記ユニットケースの係合受け部または係合突起部と上記一次導体の係合突起部または係合受け部との係合時に上記係合抑止部を上記一次導体の上面と対応させて上記一次導体を抑止することにより、上記一次導体を所定位置に保持するように構成したことを特徴とする回路遮断器の電流検出ユニット。
【請求項２】
ユニットケースに一次導体の露出部分を覆う保護隔壁を設けたことを特徴とする請求項１記載の回路遮断器の電流検出ユニット。
【請求項３】
ユニットケースをユニットベース及びユニットカバーにより構成し、上記ユニットベース及びユニットカバーのそれぞれに係合受け部または係合突起部を設け、一次導体の上記係合受け部または係合突起部が対向する位置に係合突起部または係合受け部を設けたことを特徴とする請求項１または請求項２記載の回路遮断器の電流検出ユニット。
【請求項４】
ユニットケースに電子回路部保持用の突起部を設け、上記突起部により上記電子回路部を装着したことを特徴とする請求項１ないし請求項３のいずれか一項記載の回路遮断器の電流検出ユニット。
【発明の詳細な説明】
【０００１】
【発明の属する技術分野】
この発明は、回路遮断器の電流検出ユニットに関するものである。
【０００２】
【従来の技術】
図７は、例えば特開昭６３−４３２３５号公報に示された従来の回路遮断器を示す側断面図である。図８は、図７に示す回路遮断器の電流検出ユニットの詳細構造を示す側断面図である。
図において、１は合成樹脂で形成された遮断器ケースであり、ベース１ａとカバー１ｂとで構成されている。２はベース１ａに固定された電源側の固定導体、３は固定導体２に固着された固定接点である。４は電子式電流検出ユニット、即ち、一般に電子式過電流引外し装置とも言われるものであり、詳細構造については図８に基づき後述する。６は固定接点３に対向して接離する可動接点、７は可動接点６が固着された可動子、８は可動子７を接続導体９を介して電子式電流検出ユニット４に接続するための可撓導体である。１０は可動子７を保持するコンタクトアーム部であり、後述する開閉機構部１５が連繋される第一のコンタクトアーム１０ａと、可動子７が第一のピン１１により回動可能に支持される第二のコンタクトアーム１０ｂと、支軸１０ｃと、第二のピン１０ｄと、引きばね１０ｅ等で構成されている。
【０００３】
１２は各極の第一のコンタクトアーム１０ａを連結するクロスバー、１３は可動子７と第二のコンタクトアーム１０ｂとの間に設けられた接圧ばね、１４は遮断器を外部から開閉操作する操作ハンドルである。１５は開閉機構部であり、クレドル１５ａと、上部リンク１５ｂと、下部リンク１５ｃ等により構成されている。１６は下部リンク１５ｃを第一のコンタクトアーム１０ａに連繋する連結ピン、１７は消弧装置である。１８は開閉機構部１５のクレドル１５ａと係合するラッチ部であり、電子式引き外しユニット４に設けられた後述するトリップロッド４３ａの突き押しにより操作される。
【０００４】
電子式電流検出ユニット４は、図８に示すように構成されている。
４１は一次導体であり、一端部４１ａは接続導体９に、他端部４１ｂは図示しない負荷に接続された外部電線に接続される。４１ｃは一次導体４１のための絶縁カバーである。
４２は一次導体４１に流れる一次電流を検出する変流器であり、積層鉄心により形成され、一次導体４１が貫通する貫通孔（図示せず）を有すると共に磁気回路となるコアー４２ａと、このコアー４２ａを両側から挟むと共に、一端部に取付足となる先端部４２ｃを有する側板４２ｄと、コアー４２ａと側板４２ｄを固着する複数のリベット４２ｅと、コアー４２ａにボビンを介して巻回され二次電流が出力されるコイル部４２ｆとで構成されている。４３はコイル部４２ｆから出力される二次電流により制御されるリレー部であり、トリップロッド４３ａを有している。４４は変流器４２にリレー部４３を装着する取付部材である。
【０００５】
従来の電流検出ユニット４即ち電子式過電流引外し装置の組立手順を図８に基づき説明する。先ず、変流器４２の上面に取付部材４４を載せ、側板４２ｄの先端部４２ｃを取付部材４４の貫通孔４４ａに通してＬ曲げし、取付部材４４に変流器４２を固定する。次に、取付部材４４の上面にリレー部４３を装着する。最後に、変流器４２の貫通孔（図示せず）に1 次導体４１を挿通して電子式電流検出ユニット４が完成する。
【０００６】
【発明が解決しようとする課題】
上記のような従来の回路遮断器の電流検出ユニットでは、変流器４２に側板４２ｄを設けて、その先端部４２ｃを取付部材４４の貫通孔４４ａに通してＬ曲げし、取付部材４４に変流器４２を固定しなければならないという問題点があった。また、1 次導体４１は変流器４２の貫通孔に貫通されているのみで非常に不安定であり、電子式電流検出ユニット４を回路遮断器本体に組込む作業が難しく、作業時間が長くなるという問題点もあった。
【０００７】
この発明は、上述のような問題点を解決するためになされたもので、変流器及び一次導体を、少ない部品構成で確実に固定するとともに、回路遮断器本体への組込みが容易な回路遮断器の電流検出ユニットを得ることを目的としている。
【０００８】
【課題を解決するための手段】
この発明に係る電流検出ユニットにおいては、負荷回路に対する通電電路となる一次導体と、この一次導体が貫通し上記通電電路の電流に対応した電流信号を出力する変流器と、この変流器の電流信号に基づいて上記電流の大きさを常時監視し、所定値を超過した過電流状態のとき引き外し信号を出力する電子回路部と、上記一次導体及び変流器などを収納するユニットケースとを備えた回路遮断器の電流検出ユニットにおいて、上記一次導体と上記ユニットケースのいずれか一方に係合受け部を、他方に係合突起部を設け、上記係合受け部と係合突起部を係合させると共に、上記ユニットケースの係合受け部または係合突起部の両側に係合抑止部を設け、上記ユニットケースの係合受け部または係合突起部と上記一次導体の係合突起部または係合受け部との係合時に上記係合抑止部を上記一次導体の上面と対応させて上記一次導体を抑止することにより、上記一次導体を所定位置に保持するように構成したものである。
【００１０】
また、ユニットケースに一次導体の露出部分を覆う保護隔壁を設けることにより、一次導体に他の部品が接触するのを防止するように構成したものである。
【００１１】
また、ユニットケースをユニットベース及びユニットカバーにより構成し、上記ユニットベース及びユニットカバーのそれぞれに係合受け部または係合突起部を設け、一次導体の上記係合受け部または係合突起部が対向する位置に係合突起部または係合受け部を設けたものである。
【００１２】
さらに、ユニットケースに電子回路部保持用の突起部を設け、上記突起部により上記電子回路部を保持したものである。
【００１３】
【発明の実施の形態】
実施の形態１．
図１は、この発明の一実施の形態を示す回路遮断器の電流検出ユニットを正面から見た斜視図である。図２は、図１の線II-II に沿う断面図である。図３は、図１の電流検出ユニットを背面から見た斜視図である。図４は、この発明のユニットベースを示す斜視図である。図５は、この発明の一次導体を示す斜視図である。図６は、この発明のユニットカバーを示す斜視図である。
【００１４】
図において、２１は合成樹脂材料で形成されたユニットベースであり、図４に示すように、各極の中央部にはそれぞれ係合突起部２１ａが形成されている。それぞれの係合突起部２１ａの両側には後述する一次導体２２を抑止する係合抑止部２１ｂと、その上側には一次導体２２に他の部品が接触するのを防ぐ保護隔壁２１ｃが形成されている。２２は銅材料をプレス加工して形成された一次導体であり、図５に示すように、ユニットベース２１の係合突起部２１ａが係合される係合受け部２２ａと、後述するユニットカバー２５の係合突起部２５ａが係合される係合受け部２２ｂが形成されている。なお、この場合の係合受け部２２ａ，２２ｂはいずれも一次導体２２に形成された貫通孔である。
【００１５】
２３は一次導体２２に流れる通電電流を検出し、この通電電流に比例した電流信号を出力する変流器である。２４は変流器２３から出力された電流信号に基づいて通電電流の大きさを常時監視し、所定値を超過した過電流状態と判断した場合にはトリップコイル（図示せず）に引き外し信号を出力する電子回路部であり、プリント基板２４ａ及び電子部品類（図示せず）で構成されている。２５は合成樹脂材料で形成されたユニットカバーであり、図６に示すように、各極の中央部にはそれぞれ一次導体２２の係合受け部２２ｂに係合される係合突起部２５ａと、その両側には一次導体２２を押える係合抑止部２５ｂと、プリント基板２４ａ即ち電子回路部２４の一端部を支持する突起部２５ｃと、他端部を支持する突起部２５ｄ及び係止用の突起部２５ｅとが形成されている。
【００１６】
次に、電流検出ユニットの組立手順を図２に基づき説明する。
先ず、ユニットベース２１に一次導体２２を貫通させた変流器２３を装着する。その際、ユニットベース２１の各極の係合突起部２１ａが一次導体２２の係合受け部２２ａに係合されると同時に、係合抑止部２１ｂにより一次導体２２を抑止して動かないように保持する。
【００１７】
次に、上方よりユニットカバー２５を装着するが、ユニットカバー２５の係合突起部２５ａが、一次導体２２の係合受け部２２ｂに係合する。その際、ユニットカバー２５の各極の係合抑止部２５ｂが上側から一次導体２２を抑止して動かないように保持する。
【００１８】
次に、変流器２３と電子回路部２４との配線接続を行った後に、電子回路部２４をユニットカバー２５の突起部２５ｃ，２５ｄ，２５ｅに装着することにより、電流検出ユニットが完成する。
【００１９】
この発明の回路遮断器の電流検出ユニットは、上述のように構成されているので、ユニットベース２１及びユニットカバー２５からなるユニットケースに、一次導体２２、変流器２３、電子回路部２４などを、従来装置のような側板４２ｄや取付部材４４を用いることなく少ない部品構成で容易に組立てることができるので、組立作業時間を短縮できる。同時に、一次導体２２の固定がより確実になる。
【００２０】
なお、上記実施の形態では、ユニットベース２１及びユニットカバー２５の側に係合突起部２１ａ，２５ａを形成し、一次導体２２に係合受け部２２ａ，２２ｂを形成したものを示したが、一次導体２２に係合突起部２１ａ，２５ａに相当する係合突起部を形成し、ユニットベース２１及びユニットカバー２５の側に係合受け部２２ａ，２２ｂに相当する係合受け部を形成してもよい。また、係合受け部２２ａ，２２ｂは、貫通孔に限らず凹状に形成された係合受け部であってもよい。さらに、図２に示すように、例えば、一次導体２２に屈曲部を設けてユニットベース２１あるいはユニットカバー２５に沿わすような構成を考慮すれば、係合突起部，係合受け部は１か所であってもよい。
【００２１】
【発明の効果】
この発明は、以上説明したように構成されているので、以下に記載されるような効果を奏する。
【００２２】
一次導体とユニットケースのいずれか一方に係合受け部を、他方に係合突起部を設け、上記係合受け部と係合突起部を係合させると共に、上記ユニットケースの係合受け部または係合突起部の両側に係合抑止部を設け、上記ユニットケースの係合受け部または係合突起部と上記一次導体の係合突起部または係合受け部との係合時に上記係合抑止部を上記一次導体の上面と対応させて上記一次導体を抑止することにより、一次導体を所定位置に保持するように構成したので、少ない部品構成で変流器および一次導体を確実に固定できるとともに、回路遮断器本体への電流検出ユニットの組込みが容易になる。
【００２３】
また、ユニットケースに係合抑止部を設け、係合受け部と係合突起部との係合時に上記係合抑止部が一次導体の上面と対応して一次導体を抑止保持するように構成したので、変流器に対して1 次導体の取付が安定し、回路遮断器本体への電流検出ユニットの組込みが容易になり、組立作業時間を短縮できる。
【００２４】
また、ユニットケースに一次導体の露出部分を覆う保護隔壁を設けたので、一次導体に他の部品が接触するのを防止することができる。
【００２５】
また、ユニットケースをユニットベース及びユニットカバーにより構成し、上記ユニットベース及びユニットカバーのそれぞれに係合受け部または係合突起部を設け、一次導体の上記係合受け部または係合突起部が対向する位置に係合突起部または係合受け部を設けているため、一次導体を更に確実に固定できる。
【００２６】
さらに、ユニットケースに電子回路部保持用の突起部を設け、この突起部により電子回路部を保持するように構成すれば、特別な部品を用いることなく電流検出ユニットを構成することができる。
【図面の簡単な説明】
【図１】  この発明の電流検出ユニットを正面から見た斜視図である。
【図２】  図１の線II−IIに沿う断面図である。
【図３】  この発明の電流検出ユニットを背面から見た斜視図である。
【図４】  実施の形態１のユニットベースを示す斜視図である。
【図５】  実施の形態１の一次導体を示す斜視図である。
【図６】  実施の形態１のユニットカバーを示す斜視図である。
【図７】  従来の回路遮断器を示す側断面図である。
【図８】  従来の回路遮断器の電流検出ユニットを示す側断面図である。
【符号の説明】
２１  ユニットベース、２１a   係合突起部、２１b   係合抑止部、
２１c   保護隔壁、２２  一次導体、２２a   係合受け部、
２２b   係合受け部、２３  変流器、２４  電子回路部、
２５  ユニットカバー、２５ａ  係合突起部、２５ｂ  係合抑止部、
２５ｃ，２５ｄ，２５ｅ  突起部。
【図１】
0004088400.tif 000002
【図２】
0004088400.tif 000003
【図３】
0004088400.tif 000004
【図４】
0004088400.tif 000005
【図５】
0004088400.tif 000006
【図６】
0004088400.tif 000007
【図７】
0004088400.tif 000008
【図８】
0004088400.tif 000009